(57)【要約】【技術課題】カートリッジの密封用中栓において、ポンプを装着し、シリンダーヘッドで中栓のシール膜を突き破って開封した時に、シール膜がカートリッジ内に落下してポンプで内容液を吸引するときに、この吸引口を塞いだりしないようにする。【解決手段】中栓１のシール膜５の周囲に薄肉部６を形成すると共に、この薄肉部６の一部に厚肉部７を形成する。厚肉部７は、ポンプ１３側のシリンダーヘッド１４の突出部１５で薄肉部６が突き破られてもこの破れたシール膜５を繋ぎ止めてカートリッジ９内の液中に落下するのを防ぐ。【選択図】  図９
2016078900.tif 000002
【特許請求の範囲】
【請求項１】
液体が充填された補充用カートリッジの口部に装着して密封するための中栓であって、この中栓は、前記カートリッジの口縁に内側から係合する係合リブを上端に形成すると共にこの係合リブから下方に向けて内部にポンプ側のシリンダーヘッドが挿入される胴体部を形成し、更にこの胴体部の先端部に前記シリンダーヘッドを挿入したときにこのシリンダーヘッドの先端により破れて開封するシール膜を形成したこと、
前記シール膜は、前記シリンダーヘッドの先端部とシール膜間の円環状の境界部に沿って薄肉部を形成すると共にこの薄肉部の一部に厚肉部を形成したこと、
前記厚肉部は、シリンダーヘッドの先端より薄肉部が突き破られたとき、シール膜を前記中栓の胴体部の先端に繋ぎ止めてカートリッジ内の液中に落下するのを防止すること、
を特徴とする手動ポンプ汲み出し容器に用いられる内容物補充用カートリッジにおける密封用中栓。
【請求項２】
前記中栓は、熱可塑性樹脂によりシール膜部分を含めて一体成形されていること、を特徴とする請求項１に記載の内容物補充用カートリッジにおける密封用中栓。
【発明の詳細な説明】
【技術分野】
【０００１】
本発明は、口部に取り付けた手動ポンプにより内容物を汲み出す方式の容器において、補充用に用意されたカートリッジ（ボトル）の口部内に取り付けて用いられる密封用の中栓に関する。
【０００２】
前記カートリッジの口部には、内容物を充填した後、密封用に中栓が取り付けられていて、使用時にはこの中栓のシール膜をポンプ側のシリンダーヘッドの先端で突き破り、開封する構成となっている（特許文献１）。
【０００３】
しかし、この中栓の場合、突き破られたシール膜がカートリッジ内の液中に落下してしまうことから、ポンプにより内容物を吸引したときに、液中のシール膜がポンプの吸引口に付着してしまい、ポンプが機能しなくなることがある。
【０００４】
また、前記特許文献１の場合、容器本体の開封作業が煩雑で改善の余地があると共にアダプタの上端開口と下端開口それぞれにシール膜を設ける必要があるため、生産工程も煩雑となり、コスト高になる欠点があることから、シール膜を形成しない密封容器（特許文献２）が紹介されている。
【０００５】
しかし、この特許文献２の密封容器においては、部品点数が多くなると共に各部品を容器本体の口部に取り付けたときの構造が複雑になることから、製作コストが嵩み、かつ部品の組み付けが面倒になるという問題がある。
【先行技術文献】
【特許文献】
【０００６】
【特許文献１】特開２００３−２９２０７３号
【特許文献２】特開２０１３−６７４１４号
【発明の概要】
【発明が解決しようとする課題】
【０００７】
本発明の目的は、カートリッジの密封用中栓のシール膜をポンプ側のシリンダーヘッドで突き破った際に、シール膜がカートリッジ内に落下しないようにすることと、部品点数を少なくしてコストの低減を図ると共に各部品を口部に対して組み立てるときの煩雑さを解消することができるカートリッジにおける密封用中栓を提供することである。
【課題を解決するための手段】
【０００８】
上記目的を達成するため、請求項１に記載の発明は、液体が充填された補充用カートリッジの口部に装着して密封するための中栓であって、この中栓は、前記カートリッジの口縁に内側から係合する係合リブを上端に形成すると共にこの係合リブから下方に向けて内部にポンプ側のシリンダーヘッドが挿入される胴体部を形成し、更にこの胴体部の先端部に前記シリンダーヘッドを挿入したときにこのシリンダーヘッドの先端により破れて開封するシール膜を形成したこと、前記シール膜は、前記シリンダーヘッドの先端部とシール膜間の円環状の境界部に沿って薄肉部を形成すると共にこの薄肉部の一部に厚肉部を形成したこと、前記厚肉部は、シリンダーヘッドの先端より薄肉部が突き破られたとき、シール膜を前記中栓の胴体部の先端に繋ぎ止めてカートリッジ内の液中に落下するのを防止すること、を特徴とするものである。
【０００９】
更に、請求項２に記載の発明は、請求項１に記載の密封用中栓において、シール膜部分を含めて一体成形されていること、を特徴とするものである。
【発明の効果】
【００１０】
上記構成の中栓は、ポンプを装着したときに破断したシール膜は中栓の先端においてその厚肉部で繋っているため、カートリッジ内の液中に落下することはない。
【００１１】
また、中栓におけるシール膜の薄肉部と厚肉部は、成形用の金型を加工するだけで簡単に一体成形することができるため、部品点数が少なくなり、カートリッジの口部において煩雑な組み立て作業が無くなると共に低コストにより生産することができる。
【図面の簡単な説明】
【００１２】
【図１】本発明に係る中栓の正面図。
【図２】中栓の一部断面図。
【図３】中栓の側面図。
【図４】中栓を先端（下方）から見た正面図。
【図５】中栓のシール膜と薄肉部及び厚肉部の説明用断面図。
【図６】中栓をカートリッジの口部に装着した状態の断面図。
【図７】カートリッジにキャップを装着した状態の一部断面図。
【図８】カートリッジの口部にポンプを装着した状態の断面図。
【図９】ポンプのシリンダーヘッドの先端で中栓のシール膜を破断した状態であって、シール膜が中栓の先端に繋ぎ止められている状態の説明図。
【発明を実施するための形態】
【００１３】
以下、図１〜図９を用いて本発明の実施例を詳細に説明する。
【００１４】
符号の１は、本発明に係るカートリッジの口部に装着して密封するための中栓であって、この中栓１は、砲弾状の外観を呈していて、上縁には外側に向けて係合リブ２が形成され、この係合リブ２から下方に向けて胴体部３が形成され、更に胴体部３の先端側は逆八字状に絞られていて、この先端４にはシール膜５が一体に形成されている。
【００１５】
符号の６は、図４、図５に示すように、前記シール膜５の周囲であって、先端４との境界部分に形成された円環状の薄肉部、７は、前記薄肉部６の円周上の一部に形成された厚肉部である。
【００１６】
符号の８は、図２に示すように中栓１において、カートリッジ（後述）の口部に装着されたときに、口部からのエアーを抜くための凹溝である。
【００１７】
なお、上記構成の中栓１は、熱可塑性樹脂で一体成形されている。
【００１８】
図６は、上記構成の中栓１をカートリッジ９の口部１０内に装着した状態の説明図であって、中栓１は口部１０内に上方から挿入されてその上端に形成した係合リブ２がカートリッジ９の口部１０の内縁に形成された係合段部１１に係合し、容易には外れない。
【００１９】
図７は、キャップ１２をカートリッジ９の口部１０のスクリューネジ１６に装着した状態であって、補充用として用いられるカートリッジ９は、内部に補充液を充填し、キャップ１２を装着した状態で流通及び保管に供される。
【００２０】
図８は、カートリッジ９のキャップ１２を取り、ポンプ１３をこのキャップ１２を取ったところにスクリューネジ１６を利用して装着した状態であって、ポンプ１３のシリンダーヘッド１４の先端には突起１５が形成されていて、ポンプ１３のシリンダーヘッド１４を中栓１内に上方から挿入し、カートリッジ９の口部１０の外に形成されたスクリューネジ１６にポンプ１３を最後までねじ込むと、前記突起１５がシール膜５の薄肉部６に突き刺さり、この薄肉部６を破断して図９に示すように中栓１を開封する。
【００２１】
このとき、シール膜５は、その薄肉部６のところでは破断されるが、厚肉部７は破断されないでそのまま残る。
【００２２】
この結果、シール膜５は、図５の一点鎖線で示すように厚肉部７で繋ぎ止められてカートリッジ９の液中には落下せず、ポンプ１３での吸引の障害となることは無い。
【符号の説明】
【００２３】
１  中栓
２  係合リブ
３  胴体部
４  先端
５  シール膜
６  薄肉部
７  厚肉部
８  凹溝
９  カートリッジ
１０  口部
１１  係合段部
１２  キャップ
１３  ポンプ
１４  シリンダーヘッド
１５  突起
１６  スクリューネジ
【図１】
2016078900.tif 000003
【図２】
2016078900.tif 000004
【図３】
2016078900.tif 000005
【図４】
2016078900.tif 000006
【図５】
2016078900.tif 000007
【図６】
2016078900.tif 000008
【図７】
2016078900.tif 000009
【図８】
2016078900.tif 000010
【図９】
2016078900.tif 000011